(57)【要約】【課題】  周囲を暖める立ち上がり速度が速く、即ち、短時間の中に温度上昇が得られ、かつ、エネルギー効率が高く、しかもハロゲンランプや赤外線ランプの如くに周囲を明るくし過ぎることが無い暖房装置を提供することである。【解決手段】    セラミック製のハニカム体と、  前記ハニカム体の両端面に設けられた導電性塗膜Ｘと、  前記導電性塗膜Ｘと電気的に接続されて前記ハニカム体の孔内面に設けられてなる導電性塗膜Ｙと、  前記ハニカム体の孔に向かって送風する送風手段とを具備する温風装置。【選択図】  図１
2007155152.tif 000002
【特許請求の範囲】
【請求項１】
セラミック製のハニカム体と、
前記ハニカム体の両端面に設けられた導電性塗膜Ｘと、
前記導電性塗膜Ｘと電気的に接続されて前記ハニカム体の孔内面に設けられてなる導電性塗膜Ｙと、
前記ハニカム体の孔に向かって送風する送風手段
とを具備することを特徴とする温風装置。
【請求項２】
導電性塗膜はカーボン粒子とバインダとを含有することを特徴とする請求項１の温風装置。
【請求項３】
ハニカム体が筒体内に設けられ、前記筒体の一方の側に送風手段が設けられてなることを特徴とする請求項１の温風装置。
【発明の詳細な説明】
【技術分野】
【０００１】
本発明は温風装置に関する。
【背景技術】
【０００２】
従来より各種の暖房装置が提案されて来ている。その代表的なものとして、ニクロム線を用いた暖房装置がある。又、赤外線ランプを用いた暖房装置がある。又、ハロゲンランプを用いた暖房装置がある。
【０００３】
さて、上記暖房装置において、赤外線ランプやハロゲンランプを用いた暖房装置は、ランプ構成材としてガラスやフィラメントが用いられていることから、乱暴に取扱うと、ランプのフィラメントやガラスが損傷する恐れが高い。従って、その取扱いには気を使う。又、赤外線ランプやハロゲンランプが用いられていることから、その周囲が明るく照らされる。しかしながら、場合によっては、明るく照らされることを避けたい場合も有る。このような問題点を避けようとすると、ニクロム線を用いた暖房装置に回帰せざるを得ない。
【０００４】
しかしながら、ニクロム線を用いた暖房装置は、エネルギー効率が悪い。すなわち、電力消費量が多すぎ、省エネ時代の今日では好ましいものでは無い。更には、昇温における立ち上り速度が遅く、暖まるのに時間が掛かり過ぎる。
【発明の開示】
【発明が解決しようとする課題】
【０００５】
従って、本発明が解決しようとする課題は、周囲を暖める立ち上がり速度が速く、即ち、短時間の中に温度上昇が得られ、かつ、エネルギー効率が高く、しかもハロゲンランプや赤外線ランプの如くに周囲を明るくし過ぎることが無い暖房装置を提供することである。
【課題を解決するための手段】
【０００６】
前記の課題は、セラミック製のハニカム体と、
前記ハニカム体の両端面に設けられた導電性塗膜Ｘと、
前記導電性塗膜Ｘと電気的に接続されて前記ハニカム体の孔内面に設けられてなる導電性塗膜Ｙと、
前記ハニカム体の孔に向かって送風する送風手段
とを具備することを特徴とする温風装置によって解決される。
【０００７】
特に、セラミック製のハニカム体と、
前記ハニカム体の両端面に設けられた導電性塗膜Ｘと、
前記導電性塗膜Ｘと電気的に接続されて前記ハニカム体の孔内面に設けられてなる導電性塗膜Ｙと、
前記ハニカム体の孔に向かって送風する送風手段と、
筒体とを具備し、
前記筒体の中に前記ハニカム体が設けられ、
前記筒体の一方の側に前記送風手段が設けられてなる
ことを特徴とする温風装置によって解決される。
【０００８】
又、上記温風装置であって、導電性塗膜はカーボン粒子とバインダとを含有する温風装置によって解決される。
【発明の効果】
【０００９】
上記のように構成させてなる本発明の温風装置は、短時間の中に周囲を暖かくすることが出来る。しかも、セラミックハニカムの孔の方向や筒体の方向による温風に指向性が有るから、特定の部位を集中的に暖めることが出来る。
【００１０】
そして、セラミックハニカムの孔内面に導電層（発熱層）を設けてなるから、発熱密度が非常に高く、小型・軽量化が可能である。又、セラミックハニカムの体積分の発熱箇所が在ると考えることが出来、発熱総量が多く、エネルギー効率が高い。特に、セラミックハニカムの孔内面だけでなく、セラミックハニカムの両端面にも導電性塗膜を設けてなるから、セラミックハニカムの全表面が発熱箇所であり、発熱総量が多く、エネルギー効率が高い。
【００１１】
又、セラミックハニカムの両端面にも導電性塗膜を設けてなるから、導電性塗膜へのリード線の接続が非常に簡単である。
又、ニクロム線やフィラメント断線の如きの損傷事故が起き難く、耐久性に富む。
そして、低廉なコストで提供できる。
【発明を実施するための最良の形態】
【００１２】
図１は、本発明になる温風装置の概略図である。
【００１３】
同図中、Ａはモーターファン、Ｂは発熱体、Ｃは内径２０ｃｍの筒体である。そして、発熱体Ｂは筒体Ｃ中に内蔵されており、筒体Ｃの一方の側にモーターファンＡが取り付けられている。尚、発熱体Ｂはハニカム構造体であり、モーターファンＡから送り出された空気は、発熱体Ｂのハニカム構造体の孔を通り抜け、筒体Ｃの他方の側から吹き出されるよう構成されている。又、発熱体Ｂのハニカム構造体の孔の方向と筒体Ｃの筒方向とは同じ方向にあるよう発熱体Ｂは取り付けられている。
【００１４】
ハニカム構造の発熱体Ｂは、セラミックで構成された円筒状ハニカム体（外径２０ｃｍ：長さ３ｃｍ：孔径１〜５ｍｍ）である。すなわち、ハニカム体であるから、そのハニカム体の長手方向に沿った方向に微細な径の貫通孔が多数形成されている。図１中、黒く塗り潰されている部分が孔である。このハニカム体は、例えば導電性塗料中に浸漬、そして乾燥することによって、孔の内面、及びハニカム体の上下端面（両端面）に導電性塗膜が設けられる。勿論、孔の内面に設けられる導電性塗膜が孔を塞ぐことが無いように設けられる。又、孔の内面に設けられた導電性塗膜Ｙとハニカム体の上下端面（両端面）に設けられた導電性塗膜Ｘとが互いに繋がっているように設けられている。尚、ハニカム体の外周面には予めフィルムが巻かれていて、ハニカム体の外周面には導電性塗膜が設けられないようになっている。すなわち、浸漬後に前記フィルムを剥離すれば、外周面には導電性塗膜が設けられていないハニカム体（発熱体）Ｂが得られる。そして、ハニカム体（発熱体）Ｂの一方の端面の導電性塗膜Ｘに接続されたリード線とハニカム体（発熱体）Ｂの他方の端面の導電性塗膜Ｘに接続されたリード線とを電源に接続し、電流を流すことによって、導電性塗膜Ｘ，Ｙが発熱することになる。
【００１５】
導電性塗膜Ｘ，Ｙを構成する為の導電性塗料としては、例えばコロンビアカーボン日本社のコンダクテックス（Conductex ）975、コンダクテックス900
、コンダクテックス40−220、コンダクテックスＳＣ、カボット社製のカボット・バルカンＸＣ−72、バルカンＰ、ラーベン1040 、ブラックパールズ1000、ブラックパールズＬ等のカーボンブラックとかナノカーボン粒子、或いはＡｇ，Ｎｉ等の導電性金属粉末などの群の中から選ばれる適宜な導電性物質と、アクリル系シリコン樹脂、塩化ビニル系樹脂、ポリウレタン系樹脂、ポリエステル系樹脂、繊維素系樹脂、フェノキシ樹脂、又はその他の熱可塑性樹脂、熱硬化性樹脂、反応型樹脂、電子線照射硬化型樹脂等の群の中から選ばれる適宜なバインダ樹脂と、アセトン、メチルエチルケトン、メチルイソブチルケトン、シクロヘキサノン等のケトン類、メタノール、エタノール、プロパノール、ブタノール等のアルコール類、酢酸メチル、酢酸エチル、酢酸ブチル、乳酸エチル、エチレングリコールセノアセテート等のエステル類、ジエチルエーテル、グリコールジメチルエーテル、グリコールモノエチルエーテル、ジオキサン、テトラヒドロフラン等のエーテル類、ベンゼン、トルエン、キシレン等の芳香族炭化水素、メチレンクロライド、エチレンクロライド、四塩化炭素、クロロホルム、ジクロルベンゼン等のハロゲン化炭化水素などの群の中から選ばれる適宜な溶剤とを用いたものである。望ましい導電性物質としては、特に、ナノカーボン粒子が挙げられる。例えば、竹炭を賦活して生成したものが好適である。中でも、その径が１０ナノメートル以下、特に、３〜５ナノメートルのものが最適である。又、バインダ樹脂としては、特に、アクリル系シリコン樹脂が挙げられる。そして、塗膜中における導電性物質とバインダ樹脂との割合は３〜０．６：１（重量比）である。導電性塗料における溶剤の量は、この導電性塗料中に浸漬したハニカム体の表面に塗料が付き、塗膜が形成される程度の粘度のものであれば良く、適宜決めれば良い。
【００１６】
上記のように構成させたナノカーボン粒子を用いた本発明になる温風装置について、その発熱効率を調べた処、約９５％以上のものであった。尚、従来のニクロム線を用いたものにあっては、発熱効率が６０％以下であり、本発明の温風装置はエネルギー効率が高いことが判る。そして、周囲を暖める立ち上がり速度は速く、即ち、短時間の中に温度上昇が得られものであった。
【００１７】
又、温風吹出しの指向性が高く、欲しい箇所を集中的に暖めることが出来る。
【００１８】
更には、ハロゲンランプや赤外線ランプの如くに周囲を明るくし過ぎることが無い。すなわち、不必要に周囲を明るくすることが無い。
又、ニクロム線の断線と言った如きの損傷が起き難く、耐久性に富む。
【図面の簡単な説明】
【００１９】
【図１】本発明の温風装置の概略図
【符号の説明】
【００２０】
Ａ      モーターファン
Ｂ      ハニカム体（発熱体）
Ｃ      筒体
代  理  人  宇  高  克  己
【図１】
2007155152.tif 000003